(57)【要約】【課題】起動時においても車室内の空気に含まれる微小粒子に関する情報を報知することができる車両用報知装置を提供する。【解決手段】車両外における微小粒子濃度を示す外部濃度情報を取得する情報取得部（１３１）と、乗員に車両内における微小粒子濃度を報知する報知部に対して、微小粒子濃度を示す報知情報を出力する情報出力部（１３２）と、が設けられている。情報出力部（１３２）は、起動時において、車両内の微小粒子濃度の初期値として表示させるように、外部濃度情報に基づいて報知情報を生成して出力する。【選択図】図１
2019025929.tif 000002
【特許請求の範囲】
【請求項１】
車両用報知装置であって、
車両外における微小粒子濃度を示す外部濃度情報を取得する情報取得部（１３１）と、
乗員に車両内における微小粒子濃度を報知する報知部に対して、微小粒子濃度を示す報知情報を出力する情報出力部（１３２）と、を備え、
前記情報出力部は、起動時において、車両内の微小粒子濃度の初期値として表示させるように、前記外部濃度情報に基づいて前記報知情報を生成して出力する、車両用報知装置。
【請求項２】
請求項１に記載の車両用報知装置であって、
前記起動時とは、微小粒子濃度を取得するモードが起動され、車両内の空調を行うブロワが停止されている場合である、車両用報知装置。
【請求項３】
請求項１又は２に記載の車両用報知装置であって、
前記情報出力部は、乗員が乗車する際のドア開閉時間及び／又は開閉枚数に応じて、前記外部濃度情報を補正して報知情報を生成する、車両用報知装置。
【請求項４】
請求項３に記載の車両用報知装置であって、
前記情報出力部は、乗員が乗車する際のドアの開閉時間が所定時間よりも長い場合の方が、乗員が乗車する際のドアの開閉時間が前記所定時間よりも短い場合よりも前記外部濃度情報に近い値を初期値として報知情報を生成する、車両用報知装置。
【請求項５】
請求項３に記載の車両用報知装置であって、
前記情報出力部は、乗員が乗車する際のドア開閉枚数が所定枚数よりも多い場合のほうが、乗員が乗車する際のドア開閉枚数が前記所定枚数よりも少ない場合よりも前記外部濃度情報に近い値を初期値として報知情報を生成する、車両用報知装置。
【請求項６】
請求項５に記載の車両用報知装置であって、
前記所定枚数は１枚である、車両用報知装置。
【請求項７】
請求項１から６のいずれか１項に記載の車両用報知装置であって、
前記情報取得部は、通信手段を介した前記外部濃度情報の取得、又は車両外に搭載されているセンサから前記外部濃度情報の取得を行う、車両用報知装置。
【発明の詳細な説明】
【技術分野】
【０００１】
本開示は、車両用報知装置に関する。
【背景技術】
【０００２】
下記特許文献１に記載のシステムでは、車両の外部からの臭気の流入を低減するため、現在位置周辺の臭い情報を取得している。取得した周辺の臭い情報に基づいて、車両が臭いエリアに接近することが予想される場合には、臭いが流入しないように防臭空調を行っている。
【先行技術文献】
【特許文献】
【０００３】
【特許文献１】特開２０１６−１３７８１８号公報
【発明の概要】
【発明が解決しようとする課題】
【０００４】
特許文献１では、車両室内の空気に微小粒子が含まれているか否かといったことを把握することができない。臭いが流入しないように防臭空調を行うのではなく、車両室内の空気に微小粒子が含まれているか否か、又は微小粒子の含まれる割合を報知することが求められている。このようなニーズに対し、特許文献１に記載の技術では対応することができない。特に、乗員が車両に乗り込んだ直後の起動時においては、車両内に微小粒子検知用のセンサを設けたとしても条件によっては微小粒子を検知することができない場合もあるため、新たな対策が必要となる。
【０００５】
本開示は、起動時においても車室内の空気に含まれる微小粒子に関する情報を報知することができる車両用報知装置を提供することを目的とする。
【課題を解決するための手段】
【０００６】
本開示は、車両用報知装置であって、車両外における微小粒子濃度を示す外部濃度情報を取得する情報取得部（１３１）と、乗員に車両内における微小粒子濃度を報知する報知部に対して、微小粒子濃度を示す報知情報を出力する情報出力部（１３２）と、を備えている。情報出力部は、起動時において、車両内の微小粒子濃度の初期値として表示させるように、外部濃度情報に基づいて報知情報を生成して出力する。
【０００７】
情報出力部は、外部濃度情報に基づいた報知情報を生成し、車内の微小粒子濃度の初期値として表示させるように出力する。従って、起動時のように車両内における微小粒子濃度の検出が安定しなかったり、できなかったりといった場合でも車両内の微小粒子濃度を表示させることができる。
【発明の効果】
【０００８】
本開示によれば、起動時においても車室内の空気に含まれる微小粒子に関する情報を報知することができる車両用報知装置を提供することができる。
【図面の簡単な説明】
【０００９】
【図１】図１は、実施形態の構成を説明するための概略構成図である。
【図２】図２は、実施形態の動作を説明するためのフローチャートである。
【発明を実施するための形態】
【００１０】
以下、添付図面を参照しながら本実施形態について説明する。説明の理解を容易にするため、各図面において同一の構成要素に対しては可能な限り同一の符号を付して、重複する説明は省略する。
【００１１】
図１を参照しながら、本実施形態に係る車両用測定装置１０について説明する。車両用測定装置１０は、車両（全体は不図示）に設けられる装置であって、当該車両の車室内の空間を漂う微小粒子（ＰＭ２．５）の濃度を測定する装置として構成されている。車両用測定装置１０は、車両に搭載された空調装置２０を通過する空気における微小粒子濃度を測定する。車両用測定装置１０の構成の説明に先立ち、先ず空調装置２０の構成について説明する。
【００１２】
空調装置２０は、車室内の空調を行うための装置である。空調装置２０は、空調ケース２００と、ブロワ２５０と、粒子フィルタ２４０と、熱交換部２６０と、を備えている。
【００１３】
空調ケース２００は、空調対象である空気を車室内に案内するための管状の部材である。空調ケース２００の内側では、図１における左側から右側に向かう方向に空気が流れる。空調ケース２００には、内気導入部２１０と、外気導入部２２０と、フェイスダクト２７０と、フットダクト２８０と、が形成されている。
【００１４】
内気導入部２１０は、車室内の空気（内気）を空調ケース２００の内側に取り入れるための導入口である。外気導入部２２０は、車室外の空気（外気）を空調ケース２００の内側に取り入れるための導入口である。内気導入部２１０及び外気導入部２２０は、空調ケース２００のうち上流側部分において並ぶように形成されている。
【００１５】
内気導入部２１０と外気導入部２２０との間には内外気切り換えドア２３０が設けられている。内外気切り換えドア２３０は、内気導入部２１０のみが開かれている状態と、外気導入部２２０のみが開かれている状態と、を切り換えるためのドアである。内気導入部２１０のみが開かれている状態は、車室内から取り入れられた内気が空調されて車室内に吹き出される状態、すなわち内気循環状態である。外気導入部２２０のみが開かれている状態は、車室外から取り入れられた外気が空調されて車室内に吹き出される状態、すなわち外気循環状態である。内外気切り換えドア２３０の動作は、後述の制御部１３０によって制御される。
【００１６】
フェイスダクト２７０及びフットダクト２８０は、いずれも、空調された空気を車室内に導くための排出口である。フェイスダクト２７０及びフットダクト２８０は、空調ケース２００のうち下流側部分に形成されている。フェイスダクト２７０は、乗員の顔に向けて空調風を吹き出すためのフェイス吹き出し口（不図示）に繋がっている。フットダクト２８０は、乗員の足元に向けて空調風を吹き出すためのフット吹き出し口（不図示）に繋がっている。
【００１７】
フェイスダクト２７０の入口部分にはフェイスドア２７１が設けられている。フェイスドア２７１が図１のように開状態となっているときには、フェイスダクト２７０からフェイス吹き出し口に向けて空調風が供給される。同様に、フットダクト２８０の入口部分にはフットドア２８１が設けられている。フットドア２８１が開状態となっているときには、フットダクト２８０からフット吹き出し口に向けて空調風が供給される。フェイスドア２７１及びフットドア２８１のそれぞれの動作は制御部１３０によって制御される。
【００１８】
尚、例えばフェイスダクト２７０の下流側が二つに分岐しており、その一方が窓の近傍に形成されたデフロスタ吹き出し口（不図示）に繋がっているような態様であってもよい。
【００１９】
ブロワ２５０は、空調ケース２００の内側において下流側に空気を送り出すための送風機である。ブロワ２５０の回転数、すなわち空調装置２０から吹き出される空調風の風量は、制御部１３０によって制御される。
【００２０】
粒子フィルタ２４０は、空調ケース２００を通過する空気から、当該空気に含まれる微小粒子を除去するためのフィルタである。粒子フィルタ２４０は、内気導入部２１０や外気導入部２２０よりも下流側であり、且つブロワ２５０よりも上流側となる位置に設けられている。
【００２１】
熱交換部２６０は、冷媒などとの熱交換によって空調を行う部分である。熱交換部２６０は、ブロワ２５０よりも下流側であり、且つフェイスダクト２７０やフットダクト２８０よりも上流側となる位置に設けられている。熱交換部２６０には、空気の除湿及び冷却を行うためのエバポレータや、空気の加熱を行うためのヒータコア、及び、これらを通過する空気の流量を調整するためのエアミックスドア等（いずれも不図示）が設けられている。尚、このような熱交換部２６０の構成としては公知のものを採用し得るので、その具体的な図示や説明は省略する。
【００２２】
引き続き図１を参照しながら、車両用測定装置１０の構成について説明する。車両用測定装置１０は、車両内粒子センサ１１０と、報知部１２０と、制御部１３０と、車両外粒子センサ１４０と、動作指示スイッチ１５０と、を備えている。
【００２３】
車両内粒子センサ１１０は、空気中における粒子濃度を測定するためのセンサである。図１に示されるように、空調ケース２００のうち粒子フィルタ２４０よりも下流側であり、且つブロワ２５０よりも上流側となる位置には、導入管２９０の一端が接続されている。導入管２９０の他端は車室内に開放されている。車両内粒子センサ１１０は、この導入管２９０の途中となる位置に設けられている。空調ケース２００の内側を空気が流れているときには、空調ケース２００側で生じる負圧により、導入管２９０においても空気の流れが生じる。つまり、車室内から導入管２９０を通って空調ケース２００内に至るような空気の流れが生じる。車両内粒子センサ１１０は、当該空気に含まれる微小粒子の濃度を測定し、当該濃度を電気信号により制御部１３０に送信する。
【００２４】
図示は省略するが、車両内粒子センサ１１０は発光部と受光部とを有しており、両者の間を空気が流れるように構成されている。当該空気の粒子濃度が高くなると、それに伴って受光部が受光する光量が小さくなる。車両内粒子センサ１１０は、受光部が受光する光量に基づいて粒子濃度を測定する。
【００２５】
車両内粒子センサ１１０による粒子濃度の測定が正確に行われるためには、導入管２９０における空気の流れが生じている必要がある。このため、本実施形態における車両内粒子センサ１１０による粒子濃度の測定は、空調装置２０による空調が行われている状況においてのみ行われる。
【００２６】
車両外粒子センサ１４０は、車両外に配置され、車両外の空気中における微小粒子濃度を測定するためのセンサである。車両外粒子センサ１４０の測定原理は車両内粒子センサ１１０と同様であるので説明省略する。車両外粒子センサ１４０は、車両外に配置されているため、ブロワ２５０の駆動有無に関わらず微粒子濃度を測定することが可能になっている。
【００２７】
報知部１２０は、車両内粒子センサ１１０や車両外粒子センサ１４０による測定結果を乗員に報知する部分である。本実施形態では、報知部１２０は液晶表示パネルとして構成されている。つまり、本実施形態における乗員への報知は視覚的な表示によって行われる。このような態様に換えて、報知部１２０による乗員への報知が音声等によって行われるような態様であってもよい。報知部１２０の動作は制御部１３０によって制御される。
【００２８】
動作指示スイッチ１５０は、微粒子濃度測定の指示を制御部１３０に入力するためのスイッチである。制御部１３０は、この指示入力におうじて微小粒子濃度の測定を開始する。
【００２９】
制御部１３０は、車両用測定装置１０の全体の動作を制御するための装置である。制御部１３０は、ＣＰＵ、ＲＯＭ、ＲＡＭ等を備えたコンピュータシステムとして構成されている。既に述べたように、制御部１３０は、内外気切り換えドア２３０やブロワ２５０等の動作を制御する。つまり、本実施形態における制御部１３０は、空調装置２０の動作をも制御する装置として構成されている。
【００３０】
このような態様に換えて、空調装置２０の動作を制御するためのＥＣＵが、制御部１３０とは別に設けられているような態様であってもよい。この場合、制御部１３０が当該ＥＣＵと通信を行うことにより、空調装置２０の動作の一部を間接的に制御することとすればよい。
【００３１】
制御部１３０は、粒子除去制御を行うことが可能となっている。粒子除去制御とは、粒子フィルタ２４０による微小粒子の除去を効率的に行うための制御である。粒子除去制御において、制御部１３０は、内外気切り換えドア２３０によって内気導入部２１０が開放された状態、すなわち内気循環状態とした上で、ブロワ２５０の回転数を所定値以上に増加させる。これにより、外部から車室内への微小粒子の侵入を防止しながら、粒子フィルタ２４０による微小粒子の除去を効率的に行うことができる。このような粒子除去制御は、車両内粒子センサ１１０による粒子濃度の測定に影響を及ぼす制御、ということができる。粒子除去制御は自動的に開始されてもよく、乗員がスイッチ等に対して行う操作に基づいて開始されてもよい。
【００３２】
制御部１３０は、ネットワーク３０を介して微小粒子情報サーバ３５から情報提供を受けることができるように構成されている。微小粒子情報サーバ３５は、車両の現在位置周辺の微小粒子濃度を車両外における微小粒子濃度を示す外部濃度情報として制御部１３０に送信する。
【００３３】
制御部１３０は、携帯端末１６０を介して情報提供を受けることができるように構成されている。携帯端末１６０は、車両の現在位置周辺の微小粒子濃度を取得し、車両外における微小粒子濃度を示す外部濃度情報として制御部１３０に送信する。携帯端末１６０には、微小粒子濃度を検出可能なセンサが設けられていてもよい。携帯端末１６０は、このセンサにより検出した微小粒子濃度を制御部１３０に送信する。
【００３４】
制御部１３０は、機能的な構成要素として、情報取得部１３１と、情報出力部１３２と、を備えている。情報取得部１３１は、車両外における微小粒子濃度を示す外部濃度情報を取得する部分である。制御部１３０は、本開示の車両用報知装置に相当する。
【００３５】
情報出力部１３２は、乗員に車両内における微小粒子濃度を報知する報知部１２０に対して、微小粒子濃度を示す報知情報を出力する部分である。情報出力部１３２は、起動時において、車両内の微小粒子濃度の初期値として表示させるように、外部濃度情報に基づいて報知情報を生成して出力する。
【００３６】
このように、情報出力部１３２は、外部濃度情報に基づいた報知情報を生成し、車内の微小粒子濃度の初期値として表示させるように出力する。従って、起動時のように車両内における微小粒子濃度の検出が安定しなかったり、できなかったりといった場合でも車両内の微小粒子濃度を表示させることができる。
【００３７】
また本実施形態において、起動時とは、動作指示スイッチ１５０の操作により微小粒子濃度を取得するモードが起動され、車両内の空調を行うブロワ２５０が停止されている場合である。微小粒子濃度を取得するモードが起動されていても、車両内の空調を行うブロワ２５０が停止されていると、車両内に空気を取り込むことができないため、車両内に設けられた微小粒子濃度取得手段である車両内粒子センサ１１０を機能させることができない。そこで、微小粒子濃度を取得するモードが起動され、車両内の空調を行うブロワ２５０が停止されている場合に、車両内の微小粒子濃度の初期値として表示させるように、外部濃度情報に基づいて報知情報を生成して出力するものとしている。
【００３８】
また本実施形態において、情報出力部１３２は、乗員が乗車する際のドア開閉時間及び／又は開閉枚数に応じて、外部濃度情報を補正して報知情報を生成する。乗員が乗車するにあたっては、ドアを開閉することになる。ドアの開閉に伴って、車両外の空気が車両内に取り込まれるので、ドアの開閉状況によって車両外の空気における微小粒子濃度と車両内の空気における微小粒子濃度との関連性が変化する。そこで、乗員が乗車する際のドア開閉時間及び／又は開閉枚数に応じて、外部濃度情報を補正して報知情報を生成することで、より的確に車両内の微小粒子濃度の初期値を表示させることができる。
【００３９】
また本実施形態において、情報出力部１３２は、乗員が乗車する際のドアの開閉時間が所定時間よりも長い場合の方が、乗員が乗車する際のドアの開閉時間が所定時間よりも短い場合よりも外部濃度情報に近い値を初期値として報知情報を生成する。乗員が乗車する際のドアの開閉時間が長ければ、ドアの開閉に伴って車両外の空気が車両内に取り込まれる量が増える。そこで、ドアの開閉時間が所定時間よりも長い場合に外部濃度情報に近い値を初期値として報知情報を生成することで、より的確に車両内の微小粒子濃度の初期値を表示させることができる。
【００４０】
また本実施形態において、情報出力部１３２は、乗員が乗車する際のドア開閉枚数が所定枚数よりも多い場合のほうが、乗員が乗車する際のドア開閉枚数が所定枚数よりも少ない場合よりも外部濃度情報に近い値を初期値として報知情報を生成する。乗員が乗車する際のドアの開閉枚数が多ければ、ドアの開閉に伴って車両外の空気が車両内に取り込まれる量が増える。そこで、ドアの開閉枚数が所定枚数よりも多い場合に外部濃度情報に近い値を初期値として報知情報を生成することで、より的確に車両内の微小粒子濃度の初期値を表示させることができる。
【００４１】
また本実施形態において、情報出力部１３２が上記判断に用いる所定枚数は１枚である。  乗員が乗車する際のドアの開閉枚数が複数であると、車両外の空気が車両内に取り込まれやすくなる。そこで、ドアの開閉枚数が１枚よりも多い場合に外部濃度情報に近い値を初期値として報知情報を生成することで、より的確に車両内の微小粒子濃度の初期値を表示させることができる。
【００４２】
また本実施形態において、情報取得部１３１は、ネットワーク３０といった通信手段を介した外部濃度情報の取得、又は車両外に搭載されている車両外粒子センサ１４０から外部濃度情報の取得を行うことができる。通信手段を介した外部濃度情報の取得としては、携帯端末１６０を経由してもよい。
【００４３】
続いて、制御部１３０の動作について、図２を参照しながら説明する。ステップＳ１０１では、乗員が乗車した後であって微小粒子濃度を取得するモードが起動されているか否かを判断する。乗員が乗車した後であって微小粒子濃度を取得するモードが起動されていないと判断するとステップＳ１１１の処理に進み、乗員が乗車した後であって微小粒子濃度を取得するモードが起動されていると判断するとステップＳ１０２の処理に進む。
【００４４】
ステップＳ１０２では、ブロワ２５０がＯＦＦになっているか否かを判断する。ブロワ２５０がＯＦＦになっていればステップＳ１０３の処理に進み、ブロワ２５０がＯＦＦになっていなければステップＳ１１１の処理に進む。
【００４５】
ステップＳ１０３では、ドア開閉時間が所定時間である閾値時間よりも短いか否かを判断する。ドア開閉時間が閾値時間よりも短ければステップＳ１０４の処理に進み、ドア開閉時間が閾値時間よりも短くなければステップＳ１０９の処理に進む。
【００４６】
ステップＳ１０４では、ドアの開閉枚数が所定枚数である１枚であるか否かを判断する。ドアの開閉枚数が１枚であればステップＳ１０５の処理に進み、ドアの開閉枚数が１枚でない場合、すなわちドアの開閉枚数が複数枚であればステップＳ１０７の処理に進む。
【００４７】
ステップＳ１０５では、車外ほこり情報である外部濃度情報を取得する。ステップＳ１０５に続くステップＳ１０６では、表示パターン１となるように報知情報を生成する。具体的には、外部濃度情報に最小係数（例えば、０．５）を乗算して報知情報を生成する。生成された報知情報は報知部１２０に出力される。
【００４８】
ステップＳ１０７では、車外ほこり情報である外部濃度情報を取得する。ステップＳ１０７に続くステップＳ１０８では、表示パターン２となるように報知情報を生成する。具体的には、外部濃度情報に中程度係数（例えば、０．８）を乗算して報知情報を生成する。生成された報知情報は報知部１２０に出力される。
【００４９】
ステップＳ１０９では、車外ほこり情報である外部濃度情報を取得する。ステップＳ１０９に続くステップＳ１１０では、表示パターン３となるように報知情報を生成する。具体的には、外部濃度情報に最大係数（例えば、１）を乗算して報知情報を生成する。生成された報知情報は報知部１２０に出力される。
【００５０】
ステップＳ１１１では、通常表示となるように、車両内粒子センサ１１０から出力される検出データに基づいて報知情報が生成され報知部１２０に出力される。尚、乗員が乗車していない場合は表示されず、それ以外の場合は前回値を表示し続ける。また、プレ空調で予め車室内に不快な風を出さないようにし、乗車直後にブロワ２５０をＯＮして車室内のほこり濃度を検出してもよい。また、車両内粒子センサ１１０にファンを搭載し、車両内粒子センサ１１０を通風させることで  ほこり濃度を検出してもよい。
【００５１】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００５２】
１３１：情報取得部
１３２：情報出力部
【図１】
2019025929.tif 000003
【図２】
2019025929.tif 000004